【手続補正書】
【提出日】平成19年6月22日(2007.6.22)
【手続補正１】
【補正対象書類名】特許請求の範囲
【補正対象項目名】全文
【補正方法】変更
【補正の内容】
【特許請求の範囲】
【請求項１】
ＤＮＳ機能を有する中継サーバと、電話網と接続するための電話網接続装置とを備えるサーバシステムであって、
前記中継サーバは、接続型サーバのホスト名が指定されたＩＰアドレス取得要求をインターネット上の装置から受信した場合、該指定されたホスト名の接続型サーバがインターネットと接続しているか否かを判定し、前記接続型サーバがインターネットと接続していないと判定された場合、前記指定されたホスト名に対応する電話番号への発信要求を前記電話網接続装置へ送信し、
前記電話網接続装置は、前記中継サーバからの発信要求を受信すると、電話網を介して、前記発信要求により発信が要求された電話番号への発信を行い、
前記接続型サーバは、電話網からの着信があると、インターネットとの接続を行うことを特徴とするサーバシステム。
【請求項２】
前記接続型サーバは、インターネットとの接続の状態を前記中継サーバに通知する機能を有し、
前記中継サーバは、前記接続型サーバから通知されたインターネットとの接続の状態に基づいて前記接続型サーバがインターネットと接続しているか否かを判定することを特徴とする請求項１記載のサーバシステム。
【請求項３】
前記中継サーバは、前記接続型サーバに対して応答の要求を行い、該応答の要求から一定時間以内に前記接続型サーバから応答が返された場合、前記接続型サーバがインターネットと接続中であると判定し、一定時間以内に前記接続型サーバから応答が返されない場合、前記接続型サーバがインターネットと接続していないと判定することを特徴とする請求項１記載のサーバシステム。
【請求項４】
電話網からインターネットへの接続を中継するためのインターネットアクセスポイントを備え、
前記接続型サーバは、前記インターネットアクセスポイントを介してインターネット接続を行い、
前記中継サーバは、前記インターネットアクセスポイントに対して前記接続型サーバがインターネットと接続しているか否かの問い合わせを行い、該問い合わせに対する前記インターネットアクセスポイントからの返答に基づいて前記接続型サーバがインターネットと接続しているか否かの判定を行うことを特徴とする請求項１記載のサーバシステム。
【請求項５】
電話網からインターネットへの接続を中継するためのインターネットアクセスポイントを備え、
前記接続型サーバは、前記インターネットアクセスポイントを介してインターネット接続を行い、
前記インターネットアクセスポイントは、前記接続型サーバのインターネットとの接続の状態を前記中継サーバに通知する機能を有し、
前記中継サーバは、前記インターネットアクセスポイントから通知された前記接続型サーバのインターネットとの接続の状態に基づいて前記接続型サーバがインターネットと接続しているか否かを判定することを特徴とする請求項１記載のサーバシステム。
【請求項６】
前記接続型サーバは、前記電話網接続装置を介してインターネット接続を行い、
前記中継サーバは、前記電話網接続装置に対して前記接続型サーバがインターネットと接続しているか否かの問い合わせを行い、該問い合わせに対する前記電話網接続装置からの返答に基づいて前記接続型サーバがインターネットと接続しているか否かの判定を行うことを特徴とする請求項１記載のサーバシステム。
【請求項７】
前記接続型サーバは、前記電話網接続装置を介してインターネット接続を行い、
前記電話網接続装置は、前記接続型サーバのインターネットとの接続の状態を前記中継サーバに通知する機能を有し、
前記中継サーバは、前記電話網接続装置から通知された前記接続型サーバのインターネットとの接続の状態に基づいて前記接続型サーバがインターネットと接続しているか否かを判定することを特徴とする請求項１記載のサーバシステム。
【請求項８】
前記電話網接続装置は、電話網と接続している装置に対してＩＰアドレスを付与する機能を有し、前記中継サーバからの発信要求を受信すると、前記指定されたホスト名の接続型サーバに付与する予定のＩＰアドレスを前記中継サーバに通知し、前記接続型サーバがインターネットとの接続を行う際に、前記ＩＰアドレスを付与し、
前記中継サーバは、インターネットを介して、前記通知されたＩＰアドレスを前記ＩＰアドレスの取得を要求した装置に送信することを特徴とする請求項１記載のサーバシステム。
【請求項９】
前記電話網接続装置は、電話網と接続する装置が着信に対して応答した場合に、該応答をした装置をインターネットと接続する機能を有し、
前記接続型サーバは、電話網を介して前記電話網接続装置から着信があると、前記電話網接続装置に応答し、該電話網接続装置を介してインターネットと接続することを特徴とする請求項１記載のサーバシステム。
【請求項１０】
前記電話網接続装置は、電話網と接続する装置が着信に対して応答した場合に、該応答をした装置をインターネットと接続する機能を有し、
前記接続型サーバは、電話網を介して前記電話網接続装置から着信があると、前記電話網接続装置に対して発信し、該電話網接続装置を介してインターネットと接続することを特徴とする請求項１記載のサーバシステム。
【請求項１１】
ＤＮＳ機能を有するサーバであって、
接続型サーバのＩＰアドレス取得要求を受信した場合、該接続型サーバがインターネットと接続しているか否かを判定する判定手段と、
前記判定手段による判定の結果、接続していないと判定された場合、該接続型サーバをインターネットに接続させるために、前記接続型サーバへの発信が行われるよう制御する制御手段と
を有することを特徴とするサーバ。
【請求項１２】
前記制御手段は、前記接続型サーバに対して電話網を経由した発信が行われるよう制御することを特徴とする請求項１１記載のサーバ。
【請求項１３】
ＤＮＳ機能を有するサーバの制御方法であって、
接続型サーバのＩＰアドレス取得要求を受信した場合、該接続型サーバがインターネットと接続しているか否かを判定し、
前記判定の結果、接続していないと判定された場合、該接続型サーバをインターネットに接続させるために、前記接続型サーバへの発信が行われるよう制御することを特徴とするサーバの制御方法。
【手続補正２】
【補正対象書類名】明細書
【補正対象項目名】発明の名称
【補正方法】変更
【補正の内容】
【発明の名称】サーバシステム、サーバ及び制御方法
【手続補正３】
【補正対象書類名】明細書
【補正対象項目名】０００１
【補正方法】変更
【補正の内容】
【０００１】
本発明は、サーバシステム、サーバ及び制御方法に関する。
【手続補正４】
【補正対象書類名】明細書
【補正対象項目名】００１８
【補正方法】変更
【補正の内容】
【００１８】
本発明は、ＤＮＳ機能を有する中継サーバと、電話網と接続するための電話網接続装置とを備えるサーバシステムであって、前記中継サーバは、接続型サーバのホスト名が指定されたＩＰアドレス取得要求をインターネット上の装置から受信した場合、該指定されたホスト名の接続型サーバがインターネットと接続しているか否かを判定し、前記接続型サーバがインターネットと接続していないと判定された場合、前記指定されたホスト名に対応する電話番号への発信要求を前記電話網接続装置へ送信し、前記電話網接続装置は、前記中継サーバからの発信要求を受信すると、電話網を介して、前記発信要求により発信が要求された電話番号への発信を行い、前記接続型サーバは、電話網からの着信があると、インターネットとの接続を行うことを特徴とするサーバシステムを提供する。
【手続補正５】
【補正対象書類名】明細書
【補正対象項目名】００１９
【補正方法】変更
【補正の内容】
【００１９】
また、ＤＮＳ機能を有するサーバであって、接続型サーバのＩＰアドレス取得要求を受信した場合、該接続型サーバがインターネットと接続しているか否かを判定する判定手段と、前記判定手段による判定の結果、接続していないと判定された場合、該接続型サーバをインターネットに接続させるために、前記接続型サーバへの発信が行われるよう制御する制御手段とを有することを特徴とするサーバ及び制御方法を提供する。
【手続補正６】
【補正対象書類名】明細書
【補正対象項目名】００９０
【補正方法】変更
【補正の内容】
【００９０】
中継サーバ１０３は、図１９に示すように、クライアントＰＣ１０６からホスト名が指定されたＩＰアドレス取得要求Ｍ３０１（図１８を参照）を受信すると（ステップＳ５０１）、指定されたホスト名に対応するモバイルサーバ１０１がインターネット１０７と接続中であるか否かを判定する（ステップＳ５０２）。モバイルサーバ１０１がインターネット１０７と接続中である場合、中継サーバ１０３は、ホスト名・電話番号・ＩＰアドレス対応表１０４を参照し、指定されたホスト名に対応するＩＰアドレスの返答Ｍ３０２をクライアントＰＣ１０６に対して行う（ステップＳ５０６）。
【手続補正７】
【補正対象書類名】明細書
【補正対象項目名】０１０５
【補正方法】変更
【補正の内容】
【０１０５】
本実施の形態においては、図２６に示すように、中継サーバ１０３が、ホスト名が指定されたＩＰアドレス取得要求Ｍ３０１をクライアントＰＣ１０６から受信すると（ステップＳ５０１）、中継サーバ１０３は、ホスト名・電話番号・ＩＰアドレス対応表１０４を参照し、指定されたホスト名に対応するＩＰアドレスの返答Ｍ３０２をクライアントＰＣ１０６に対して行う（ステップＳ５０６）。そして、中継サーバ１０３は、指定されたホスト名に対応するモバイルサーバ１０１がインターネット１０７と接続中であるか否かを判定する（ステップＳ５０２）。
【手続補正８】
【補正対象書類名】図面
【補正対象項目名】図８
【補正方法】変更
【補正の内容】
【図８】
2006014188.tif 000001
【手続補正９】
【補正対象書類名】図面
【補正対象項目名】図９
【補正方法】変更
【補正の内容】
【図９】
2006014188.tif 000002
【手続補正１０】
【補正対象書類名】図面
【補正対象項目名】図１０
【補正方法】変更
【補正の内容】
【図１０】
2006014188.tif 000003
【手続補正１１】
【補正対象書類名】図面
【補正対象項目名】図１２
【補正方法】変更
【補正の内容】
【図１２】
2006014188.tif 000004
【手続補正１２】
【補正対象書類名】図面
【補正対象項目名】図１３
【補正方法】変更
【補正の内容】
【図１３】
2006014188.tif 000005
【手続補正１３】
【補正対象書類名】図面
【補正対象項目名】図１７
【補正方法】変更
【補正の内容】
【図１７】
2006014188.tif 000006